(57)【要約】【課題】複数の表示装置を並置した場合に効果的に音声を出力できるように制御することができる表示システム、表示制御方法及びコンピュータプログラムを提供する。【解決手段】マルチビジョンを構成する並置された表示装置１群に接続される制御装置２を備え、制御装置２の制御部２０は表示装置１群の配列の情報を取得し、各表示装置１の表示装置１群内での位置に応じて、音声出力の有無の決定、及び、出力する音声のチャンネルの選択を行なう。【選択図】図１
2011250113.tif 000002
【特許請求の範囲】
【請求項１】
画像を表示するパネル及び該パネルに表示される画像に対応する多チャンネルの音声を出力する１又は複数のスピーカを一体に備える複数の表示装置を少なくとも横方向に並置し、前記複数の表示装置で少なくとも１つの画像を表示する表示システムにおいて、
前記複数の表示装置夫々のスピーカでの音声出力を、前記１つの画像を表示する並置表示装置群内での各表示装置の位置に応じて制御する制御手段
を備えることを特徴とする表示システム。
【請求項２】
前記制御手段は、
各表示装置の並置方向の位置情報を取得する手段と、
取得した表示装置夫々の位置情報に応じて、前記表示装置が備える各スピーカからの音声出力の有無を決定する決定手段と、
取得した表示装置夫々の位置情報に応じて、前記表示装置が備える各スピーカから出力する音声のチャンネルを選択する選択手段と
を備えることを特徴とする請求項１に記載の表示システム。
【請求項３】
前記選択手段は、位置情報が前記並置表示装置群の中心線よりも右側（又は左側）の位置に対応する場合、右（又は左）チャンネルと選択するようにしてあること
を特徴とする請求項２に記載の表示システム。
【請求項４】
前記選択手段は、位置情報が前記並置表示装置群の中心線上に対応する場合、前記表示装置の右（又は左）スピーカには右（又は左）チャンネルの音声を選択し、
位置情報が前記中心線よりも右側（又は左側）に対応する場合、右（又は左）チャンネルの音声を選択するようにしてあること
を特徴とする請求項２に記載の表示システム。
【請求項５】
前記選択手段は、１つの表示装置のスピーカに対し、右（又は左）チャンネルの音声を選択した場合、前記１つの表示装置の位置情報と前記並置表示装置群の中心線を基準に対称関係にある位置情報の表示装置のスピーカに対し、左（又は右）チャンネルの音声を選択するようにしてあること
を特徴とする請求項２に記載の表示システム。
【請求項６】
前記決定手段は、位置情報が前記並置表示装置群の中で外側の位置に対応する場合、音声出力を有と決定するようにしてあること
を特徴とする請求項２に記載の表示システム。
【請求項７】
前記決定手段は、位置情報が前記並置表示装置群の中心線よりも右側（又は左側）に対応する場合、左（又は右）スピーカでの音声出力を無と決定するようにしてあること
を特徴とする請求項２から５のいずれか１つに記載の表示システム。
【請求項８】
前記複数の表示装置が複数段に配列されており、
前記決定手段は、１段おき又は複数段おきに出力を無と決定するようにしてあること
を特徴とする請求項２から５のいずれか１つに記載の表示システム。
【請求項９】
前記決定手段は、位置情報が最下段に対応する場合のみ音声出力を有と決定するようにしてあること
を特徴とする請求項２から８のいずれか１つに記載の表示システム。
【請求項１０】
前記決定手段は、１つの表示装置のスピーカからの音声出力を有と決定したとき、前記１つの表示装置の位置情報と前記並置表示装置群の中心線を基準に対称の位置関係にある位置情報の表示装置のスピーカからの音声出力を有と決定するようにしてあること
を特徴とする請求項２から９のいずれか１つに記載の表示システム。
【請求項１１】
前記制御手段は、
音声を出力させるスピーカを備える表示装置の選択、又は各表示装置のスピーカに出力させる音声のチャンネルの選択を受け付ける画面を出力する手段を
備えることを特徴とする請求項１から１０のいずれか１つに記載の表示システム。
【請求項１２】
画像を表示するパネル及び該パネルに表示される画像に対応する多チャンネルの音声を出力する１又は複数のスピーカを一体に備える複数の表示装置を少なくとも横方向に並置し、前記複数の表示装置で少なくとも１つの画像を表示する表示システムにて、各表示装置のパネルでの画像表示及び各表示装置のスピーカでの音声出力を制御する方法において、
各表示装置の並置方向の位置情報を取得し、
取得した位置情報が示す前記１つの画像を表示する並置表示装置群内での位置に応じて、表示装置が備える各スピーカの音声出力の有無を決定し、
取得した位置情報が示す前記並置表示装置群内での位置に応じて、前記表示装置のスピーカが出力する音声のチャンネルを選択する
ことを特徴とする表示制御方法。
【請求項１３】
画像を表示するパネル及び該パネルに表示される画像に対応する多チャンネルの音声を出力する１又は複数のスピーカを一体に備える複数の表示装置と接続されるコンピュータに、各表示装置のパネルでの画像表示及び各表示装置のスピーカでの音声出力を制御させるコンピュータプログラムにおいて、
前記コンピュータに、
各表示装置の並置方向の位置情報を取得する手段、
取得した位置情報が示す前記１つの画像を表示する並置表示装置群内での位置に応じて、表示装置が備える各スピーカの音声出力の有無を決定する手段、及び
取得した位置情報が示す前記並置表示装置群内での位置に応じて、前記表示装置のスピーカが出力する音声のチャンネルを選択する手段
として機能させることを特徴とするコンピュータプログラム。
【発明の詳細な説明】
【技術分野】
【０００１】
本発明は、複数チャンネル対応のスピーカを夫々備える複数の表示装置を用いて画像及び音声を出力するシステムに関し、複数の表示装置を並置した場合に効果的に音声を出力できるように制御することができる表示システム、表示制御方法及びコンピュータプログラムに関する。
【背景技術】
【０００２】
ＬＣＤ（Liquid Crystal Display）又はプラズマディスプレイを用いた表示装置を複数台並べ、１つの大型表示画面とする所謂マルチビジョンと呼ばれるシステムが利用されている。マルチビジョンシステムは、催し物会場、又は公共施設等の広い場所で、ライブ中継又は宣伝広告等の用途で映像を大画面に表示するために利用される。
【０００３】
マルチビジョンシステムでは、制御装置が大画面に表示するテレビジョン信号、ビデオ信号、又はパーソナルコンピュータからの画面出力信号を含む映像信号を、映像拡大装置で拡大し、表示装置の台数分に分割して夫々送出する。各表示装置が制御装置から送出された映像信号を各々表示することにより、全体として１つの大画面を実現する。
【０００４】
近年、技術進歩に伴い、ＬＣＤ及びプラズマディスプレイを用いた表示装置の正面のベゼル部分の幅が従来よりも狭くなり、正面から見た場合のパネル部分の占める割合が増えた。表示装置を複数台並べて用いる場合、ベゼル幅が広いとパネルの境界部分の映像が表示されない部分が広くなり大画面と言えども全体としては見づらく、マルチビジョンシステムとするメリットが少ない。しかしながら、ベゼル部分が狭くなっているので複数台の表示装置を用いて大画面とすることで迫力のある映像表示を実現することができ、マルチビジョンシステムを用いるメリットが増大しつつある。
【０００５】
マルチビジョンシステムを用いる場合には、どのように映像の分割を実現するかが課題になる。予め設計により、どの表示装置に分割された映像信号の内の何れを出力するかを決定するのでは、任意の台数の表示装置を用いる場合に毎回設定作業を行なわなければならず、作業が煩雑である。
【０００６】
特許文献１には、２つの表示装置を並べて１つの画面とする場合に、各表示装置の上部、底部及び左右側部に検出子を備え、各表示装置が自身で左右を認識できるようにし、各表示装置が、受信している映像信号から自身の左右の位置に応じた一部を表示する発明が開示されている。また特許文献２には、複数のディスプレイとそれを取り囲むように設置された複数のスピーカとを組み合わせたシステムにて、ディスプレイにて表示される画像に対応する音声の信号処理を行なう発明が開示されている。
【先行技術文献】
【特許文献】
【０００７】
【特許文献１】特開２００７−１６４０６０号公報
【特許文献２】特開２００８−１０９２０９号公報
【発明の概要】
【発明が解決しようとする課題】
【０００８】
マルチビジョンシステムを用いる場合には、映像の分割の制御のみならず、どのように音声を出力するかを制御することも課題である。音声については各表示装置に同様に出力させ、各表示装置が備えるステレオスピーカにて夫々左右のチャンネルの音声を出力する構成では、音声が左右のチャンネルに分けられた意味をなさず、臨場感、迫力が失われる。一方で、各表示装置のスピーカからは音声を出力させず、別途スピーカを設けることもできるが、その構成では各表示装置が内蔵するスピーカの性能が高められているにも拘わらず、余計な費用及びスペースを要する。
【０００９】
特許文献１に開示されている発明では、音声出力に関しても、２台の表示装置を用いた場合に左右のスピーカを適宜選択することができる構成を提案している。しかしながら、３台以上の表示装置を用いる場合の設定については記載も示唆もない。特許文献１に開示されている発明は、２台用いる設定であるから表示装置自身が左右を認識した後は予めしてある設定に基づき、いずれかのチャンネルの音声を出力するかを選択できる。しかしながら、何台の表示装置が用いられるか不明な場合は、自身がどの位置なのかを検出子のみでは判別できず、受信した映像信号のいずれの部分を表示するのかが不明であり、音声についてもいずれのチャンネルの音声を出力すべきか不明である。したがって、多様な配置に応じて自動的に選択できるわけではなく、多様なマルチビジョンシステムに対応するためには利便性が不十分である。
【００１０】
特許文献２に開示されている発明は、複数のディスプレイで異なる映像を表示することを前提に、アクティブな画面即ちユーザに選択された映像に対応する音声が選択されると共に、選択された映像を表示するディスプレイに対応する位置のスピーカの選択がされる構成であって、そもそもスピーカを元々備える表示装置を並べて用いる構成ではない。
【００１１】
このように、近年の表示装置を複数用いてマルチビジョンシステムを実現するメリットが増大しているにも拘わらず、表示装置の多様な配置に応じて表示装置から音声を効果的に出力させることができるようにする技術については、これまでは特に考慮されてこなかった。
【００１２】
本発明は斯かる事情に鑑みてなされたものであり、複数の表示装置を並べた場合に効果的に音声を出力できるように制御することができる表示システム、表示制御方法及びコンピュータプログラムを提供することを目的とする。
【課題を解決するための手段】
【００１３】
本発明に係る表示システムは、画像を表示するパネル及び該パネルに表示される画像に対応する多チャンネルの音声を出力する１又は複数のスピーカを一体に備える複数の表示装置を少なくとも横方向に並置し、前記複数の表示装置で少なくとも１つの画像を表示する表示システムにおいて、前記複数の表示装置夫々のスピーカでの音声出力を、前記１つの画像を表示する並置表示装置群内での各表示装置の位置に応じて制御する制御手段を備えることを特徴とする。
【００１４】
本発明に係る表示システムは、前記制御手段は、各表示装置の並置方向の位置情報を取得する手段と、取得した表示装置夫々の位置情報に応じて、前記表示装置が備える各スピーカからの音声出力の有無を決定する決定手段と、取得した表示装置夫々の位置情報に応じて、前記表示装置が備える各スピーカから出力する音声のチャンネルを選択する選択手段とを備えることを特徴とする。
【００１５】
本発明に係る表示システムは、前記選択手段は、位置情報が前記並置表示装置群の中心線よりも右側（又は左側）の位置に対応する場合、右（又は左）チャンネルと選択するようにしてあることを特徴とする。
【００１６】
本発明に係る表示システムは、前記選択手段は、位置情報が前記並置表示装置群の中心線上に対応する場合、前記表示装置の右（又は左）スピーカには右（又は左）チャンネルの音声を選択し、位置情報が前記中心線よりも右側（又は左側）に対応する場合、右（又は左）チャンネルの音声を選択するようにしてあることを特徴とする。
【００１７】
本発明に係る表示システムは、前記選択手段は、１つの表示装置のスピーカに対し、右（又は左）チャンネルの音声を選択した場合、前記１つの表示装置の位置情報と前記並置表示装置群の中心線を基準に対称関係にある位置情報の表示装置のスピーカに対し、左（又は右）チャンネルの音声を選択するようにしてあることを特徴とする。
【００１８】
本発明に係る表示システムは、前記決定手段は、位置情報が前記並置表示装置群の中で外側の位置に対応する場合、音声出力を有と決定するようにしてあることを特徴とする。
【００１９】
本発明に係る表示システムは、前記決定手段は、位置情報が前記並置表示装置群の中心線よりも右側（又は左側）に対応する場合、左（又は右）スピーカでの音声出力を無と決定するようにしてあることを特徴とする。
【００２０】
本発明に係る表示システムは、前記複数の表示装置が複数段に配列されており、前記決定手段は、１段おき又は複数段おきに出力を無と決定するようにしてあることを特徴とする。
【００２１】
本発明に係る表示システムは、前記決定手段は、位置情報が最下段に対応する場合のみ音声出力を有と決定するようにしてあることを特徴とする。
【００２２】
本発明に係る表示システムは、前記決定手段は、１つの表示装置のスピーカからの音声出力を有と決定したとき、前記１つの表示装置の位置情報と前記並置表示装置群の中心線を基準に対称の位置関係にある位置情報の表示装置のスピーカからの音声出力を有と決定するようにしてあることを特徴とする。
【００２３】
本発明に係る表示システムは、前記制御手段は、音声を出力させるスピーカを備える表示装置の選択、又は各表示装置のスピーカに出力させる音声のチャンネルの選択を受け付ける画面を出力する手段を備えることを特徴とする。
【００２４】
本発明に係る表示制御方法は、画像を表示するパネル及び該パネルに表示される画像に対応する多チャンネルの音声を出力する１又は複数のスピーカを一体に備える複数の表示装置を少なくとも横方向に並置し、前記複数の表示装置で少なくとも１つの画像を表示する表示システムにて、各表示装置のパネルでの画像表示及び各表示装置のスピーカでの音声出力を制御する方法において、各表示装置の並置方向の位置情報を取得し、取得した位置情報が示す前記１つの画像を表示する並置表示装置群内での位置に応じて、表示装置が備える各スピーカの音声出力の有無を決定し、取得した位置情報が示す前記並置表示装置群内での位置に応じて、前記表示装置のスピーカが出力する音声のチャンネルを選択することを特徴とする。
【００２５】
本発明に係るコンピュータプログラムは、画像を表示するパネル及び該パネルに表示される画像に対応する多チャンネルの音声を出力する１又は複数のスピーカを一体に備える複数の表示装置と接続されるコンピュータに、各表示装置のパネルでの画像表示及び各表示装置のスピーカでの音声出力を制御させるコンピュータプログラムにおいて、前記コンピュータに、各表示装置の並置方向の位置情報を取得する手段、取得した位置情報が示す前記１つの画像を表示する並置表示装置群内での位置に応じて、表示装置が備える各スピーカの音声出力の有無を決定する手段、及び取得した位置情報が示す前記並置表示装置群内での位置に応じて、前記表示装置のスピーカが出力する音声のチャンネルを選択する手段として機能させることを特徴とする。
【００２６】
本発明では、スピーカを一体に備える複数の表示装置を配列して１つの画像を表示する並置表示装置群を構成するに際し、各表示装置での音声出力を制御する制御手段が備えられ、該制御手段により、各表示装置のスピーカからの音声出力が各表示装置の配列内での位置に応じて制御される。これにより、各表示装置自身が判断することなく、表示装置の配列の情報を制御手段が取得したときに各表示装置の位置情報に応じて適切に多チャンネルの音声が各々出力される。なお表示装置の配列は、少なくとも横方向に並置する構成であり、縦方向にも積まれて碁盤目状でもよいし、ハニカム状であってもよい。
【００２７】
本発明では、制御手段は、表示装置の位置情報が示す並置表示装置群での位置に応じて該表示装置が備える１又は複数のスピーカ夫々の音声出力の有無自体が決定され、また、音声出力が有の場合でも、複数のチャンネルの内の何れのチャンネルの音声を出力するかが選択される。システム内に音声を出力しない表示装置の存在を許可することにより、音声出力に要する電力消費を抑えることができると同時に、適切に多チャンネルの音声が効果的に出力される。そして、右チャンネルの音声は、並置表示装置群に向かって右側に位置する表示装置のスピーカから、左チャネルの音声は、左側に位置する表示装置のスピーカから出力されるようにする等の制御が可能である。更に、低音チャンネルの音声は下側に位置する表示装置のスピーカから出力されるようにすることも可能である。音声が出力されないスピーカが有ってもよい上、各チャンネルの音声が各スピーカで適切に選択されることにより、多チャンネルの音声が効果的に出力される。
【００２８】
本発明では、１つの画像を構成する並置表示装置群の中央を基準として、左側の表示装置のスピーカからは左チャンネルの音声、右側の表示装置のスピーカからは右チャンネルの音声が出力されるように自動的に選択される。これにより、左右チャンネルを含むステレオ音声が効果的に出力される。なお、同様に、中央よりも下側にある表示装置のスピーカからは低音のチャンネルが出力されるように自動的に選択されてもよい。
【００２９】
本発明では、横方向に奇数台の表示装置を並置して並置表示装置群を構成する場合、１つの画像を構成する複数の表示装置全体の縦方向の中心線上に表示装置が並ぶことになるので、中心線上にある表示装置では通常通り、向かって右側にあるスピーカから右チャンネルの音声、左側にあるスピーカからは左チャンネルの音声が出力されるように選択される。中心線よりも右側にある表示装置のスピーカからは右チャンネルの音声が出力されるように選択される。これにより、左右チャンネルを含む多チャンネル音声が効果的に出力される。
【００３０】
本発明では、１つの画像を構成する並置表示装置群の中央を基準として、１つの表示装置のスピーカに対し、右チャンネルの音声が選択された場合は、前記１つの表示装置と対称な位置に配置されている表示装置のスピーカから左チャンネルの音声が自動的に選択される。左右逆も同様である。これにより、ステレオ音声が左右対称にバランスよく出力される。
【００３１】
本発明では、１つの画像を構成する並置表示装置群の外側に位置する表示装置のスピーカのみから音声を出力される。これにより、システム全体として音声出力に要する電力消費を抑えることができると同時に、左右又は重低音の音声のバランスが鮮明となり、多チャンネルの音声が効果的に出力される。
【００３２】
本発明では、１つの画像を構成する並置表示装置群の中央を基準として、表示装置の位置が向かって右側にある表示装置では、右スピーカのみで音声出力が可能であり、左側にある表示装置では、左スピーカのみで音声出力が可能である。これにより、システム全体として音声出力に要する電力消費を抑えることができると同時に、左右又は重低音の音声のバランスが鮮明となり、多チャンネルの音声が効果的に出力される。
【００３３】
本発明では、表示装置が複数段に並置され、音声を出力する表示装置と、音声を出力しない表示装置とが、１段又は複数段毎おきに設定される。これにより、システム全体として音声出力に要する電力消費を抑えることができる。
【００３４】
本発明では、最下段に配置されている表示装置のスピーカからのみ音声が出力される。これにより、システム全体として音声出力に要する電力消費を抑えることができる。
【００３５】
本発明では、１つの画像を構成する並置表示装置群の中央を基準として、１つの表示装置のスピーカに対し、音声出力有が決定された場合は、前記１つの表示装置と対称な位置に配置されている表示装置のスピーカからの音声出力も自動的に有に決定される。これにより、音声が左右対称にバランスよく出力される。
【００３６】
本発明では、１つの画像を構成する並置表示装置群の表示装置夫々について、スピーカからの音声の出力の有無、又は各スピーカからのチャンネルの選択が、画面を通じて任意に可能となる。これにより、ユーザは自由に選択することが可能であり、多様な構成の表示システムに対し、容易に設定が可能となる。
【発明の効果】
【００３７】
本発明による場合、マルチビジョンシステムにて別途スピーカを用いることなく、各表示装置が内蔵するスピーカを有効に利用して、多チャンネルの音声の混合、又は音響効果の低下を防止し、多チャンネルの音声を効果的に出力することができる。また、１つの画像を構成する複数の表示装置の中に、音声を出力しない表示装置が存在することを許可することによって、システム全体として音声出力に要する電力消費を抑えることが可能となる。
【図面の簡単な説明】
【００３８】
【図１】実施の形態１における表示システムの構成を模式的に示す模式図である。
【図２】実施の形態１の表示システムを構成する制御装置の制御部による音声出力制御の処理手順の一例を示すフローチャートである。
【図３】実施の形態１の表示システムを構成する制御装置の制御部による音声出力の有無の決定処理手順の一例を示すフローチャートである。
【図４】実施の形態１の表示システムを構成する制御装置の制御部による音声出力の有無の決定処理手順の他の一例を示すフローチャートである。
【図５】実施の形態１の表示システムを構成する制御装置の制御部による音声出力の有無の決定処理手順の他の一例を示すフローチャートである。
【図６】実施の形態１における制御装置の制御部による音声チャンネルの選択処理手順の一例を示すフローチャートである。
【図７】並置表示装置群の並置パターンと、音声が出力されるスピーカのパターン、及び選択された音声チャンネルのパターンについてのイメージ図である。
【図８】並置表示装置群の並置パターンと、音声が出力されるスピーカのパターン、及び選択された音声チャンネルのパターンについてのイメージ図である。
【図９】並置表示装置群の並置パターンと、音声が出力されるスピーカのパターン、及び選択された音声チャンネルのパターンについてのイメージ図である。
【図１０】並置表示装置群の並置パターンと、音声が出力されるスピーカのパターン、及び選択された音声チャンネルのパターンについてのイメージ図である。
【図１１】並置表示装置群の並置パターンと、音声が出力されるスピーカのパターン、及び選択された音声チャンネルのパターンについてのイメージ図である。
【図１２】並置表示装置群の並置パターンと、音声が出力されるスピーカのパターン、及び選択された音声チャンネルのパターンについてのイメージ図である。
【図１３】並置表示装置群の並置パターンと、音声が出力されるスピーカのパターン、及び選択された音声チャンネルのパターンについてのイメージ図である。
【図１４】並置表示装置群の並置パターンと、音声が出力されるスピーカのパターン、及び選択された音声チャンネルのパターンについてのイメージ図である。
【図１５】並置表示装置群の並置パターンと、音声が出力されるスピーカのパターン、及び選択された音声チャンネルのパターンについてのイメージ図である。
【図１６】並置表示装置群の並置パターンと、音声が出力されるスピーカのパターン、及び選択された音声チャンネルのパターンについてのイメージ図である。
【図１７】並置表示装置群の並置パターンと、音声が出力されるスピーカのパターン、及び選択された音声チャンネルのパターンについてのイメージ図である。
【図１８】並置表示装置群の並置パターンと、音声が出力されるスピーカのパターン、及び選択された音声チャンネルのパターンについてのイメージ図である。
【図１９】並置表示装置群の並置パターンと、音声が出力されるスピーカのパターン、及び選択された音声チャンネルのパターンについてのイメージ図である。
【図２０】実施の形態２の表示システムを構成する制御装置の制御部による音声出力制御の処理手順の一例を示すフローチャートである。
【図２１】実施の形態２における制御部により出力されるカスタム画面の例を示す説明図である。
【図２２】実施の形態２における制御部により出力されるカスタム画面の例を示す説明図である。
【図２３】実施の形態２における制御部により出力されるカスタム画面の例を示す説明図である。
【発明を実施するための形態】
【００３９】
以下本発明をその実施の形態を示す図面に基づき具体的に説明する。
【００４０】
（実施の形態１）
図１は、実施の形態１における表示システムの構成を模式的に示す模式図である。表示システムは、複数台の表示装置１，１，…と、表示装置１が接続される制御装置２とを含む。図１では表示装置１は、９台が用いられている。３段３列に碁盤目状に並置され、並置表示装置群を構成している。
【００４１】
表示装置１は、パネル１１と、左スピーカ１２と、右スピーカ１３とを備える。パネル１１は、ＬＣＤ又はプラズマディスプレイを用いる。左スピーカ１２は、表示装置１の正面に向かって左側下部に備えられている。右スピーカ１３は、表示装置１の正面に向かって右側下部に備えられている。なお、スピーカは他に、左側部及び右側部夫々にも備えられてもよいし、下部中央に重低音用のスピーカが備えられてもよい。
【００４２】
表示装置１は後述するように制御装置２から出力される映像信号（画像信号）に基づきパネル１１に画像を表示する。同様に、表示装置１は映像信号に含まれる音声信号、又は画像信号と共に出力される音声信号に基づき、左スピーカ１２及び右スピーカ１３から音声を出力させる。
【００４３】
制御装置２は、パーソナルコンピュータを用い、制御部２０と、記憶部２１と、出力部２２と、入力部２３とを備える。制御部２０は、ＣＰＵ（Central Processing Unit）を用いる。制御部２０は、記憶部２１に記憶してある制御プログラム２Ｐを内蔵するメモリに読み出して実行し、コンピュータを本発明に係る表示システムの制御手段として機能させる。記憶部２１は、ハードディスクドライブ又はＳＳＤ（Solid State Drive）等の外部記憶装置を用いる。記憶部２１には、制御プログラム２Ｐが記憶されているほか、表示装置１で表示及び出力する画像と音声が多重化された映像データ、制御部２０が制御に用いる設定条件などのデータが記憶される。出力部２２は、表示装置１に接続されており、制御部２０からの指示に基づき、映像信号（画像信号及び音声信号）を表示装置１へ出力する。なお出力部２２は、表示装置１が接続されるとこれを検知して制御部２０へ通知する。これにより制御部２０は、出力部２２経由で接続されている表示装置１の数を認識することができる。入力部２３は、図示しないキーボード又はマウス等のユーザインタフェースと接続され、ユーザが入力する情報を受け付けて制御部２０へ通知する機能を有する。
【００４４】
制御装置２は、制御プログラム２Ｐに基づく制御部２０の処理により、出力部２２を介して接続される複数の表示装置１，１，…の数及び配列情報を取得し、各表示装置１の配列中での位置に応じて、音声出力の有無及び出力する音声チャンネルを制御する。
【００４５】
制御装置２の制御部２０による表示装置１，１，…への音声出力の制御処理についてフローチャートを参照して説明する。
【００４６】
図２は、実施の形態１の表示システムを構成する制御装置２の制御部２０による音声出力制御の処理手順の一例を示すフローチャートである。
【００４７】
制御部２０は、接続されている表示装置１の配列情報を取得する（ステップＳ１）。配列情報は、予め記憶部２１に記憶しておくようにしてもよいし、入力部２３を介してユーザにより入力されるようにしてもよい。配列情報は例えば、各表示装置１の識別情報と、位置情報（座標情報）との対からなる。位置情報は例えば、段数と列の数とで表わす。９台の表示装置１を図１のように配列する場合であれば、向かって左上の表示装置の位置を０段目０列（０，０）とし、右上を０段目２列（０，２）、左下を２段目０列目（２，０）、右下を２段目２列目（２，２）とするなどして特定できるようにする。また、予め出力部２２の複数の接続端子夫々に位置情報を対応付けておき、自動的に各接続端子に接続されている表示装置１の位置情報を認識し、位置情報を総合して配列を特定する構成としてもよい。このとき制御部２０は、表示装置１の位置情報（０，０）〜（２，２）に基づき、マルチビジョンを構成する複数の表示装置１の中央を、位置情報の段数及び列数の中央値をとって（１，１）とし、０列目の表示装置は右側、１列目の表示装置１は中心線上、２列目の表示装置１は左側にあると区別する。
【００４８】
なお、９台の表示装置１を１面に並べて用いるとしても、その内の４台の表示装置１を使って１つの画像を表示し、他の５台の表示装置１では夫々の画像、又は２台ずつ若しくは３台ずつで１つの画像を表示する場合も考えられる。この場合は、４台の表示装置１の位置情報（０，０）〜（１，１）を用い、中央は（０．５，０．５）として０列目の表示装置は右側、１列目の表示装置１は左側にあると区別するようにしてもよい。
【００４９】
制御部２０は、接続されている表示装置１の１つを選択し（ステップＳ２）、選択した表示装置の位置を特定する（ステップＳ３）。位置の特定方法は、上述のように選択した表示装置の位置情報から区別することで特定できる。
【００５０】
制御部２０は、特定した位置に基づき、選択した表示装置１が備える各スピーカ（左スピーカ１２及び右スピーカ１３）の音声出力の有無を決定する（ステップＳ４）。各スピーカの音声出力の有無の決定の詳細については後述にて説明する。
【００５１】
次に制御部２０は、各表示装置１について特定された位置に基づき、選択した表示装置１が備える各スピーカ（左スピーカ１２及び右スピーカ１３）のチャンネルを選択する（ステップＳ５）。各スピーカのチャンネル選択の詳細についても後述にて説明する。
【００５２】
制御部２０は、接続されている全ての表示装置１を選択したか否かを判断し（ステップＳ６）、選択していないと判断した場合（Ｓ６：ＮＯ）、処理をステップＳ２に戻して次の表示装置１について処理を行なう。制御部２０は、全ての表示装置１を選択したと判断した場合（Ｓ６：ＹＥＳ）、音声出力の制御処理を終了する。
【００５３】
ステップＳ４における各スピーカの音声出力の有無の決定処理について複数の例を挙げて詳細を説明する。
【００５４】
図３は、実施の形態１の表示システムを構成する制御装置２の制御部２０による音声出力の有無の決定処理手順の一例を示すフローチャートである。
【００５５】
制御部２０は、選択されている１つの表示装置１について、取得した位置情報に基づき、マルチビジョンを構成する複数の表示装置１内で最も外側の位置に対応するか否かを判断する（ステップＳ４１）。
【００５６】
制御部２０は、ステップＳ４１にて最も外側の位置に対応すると判断した場合（Ｓ４１：ＹＥＳ）、当該表示装置１のスピーカ（左スピーカ１２及び右スピーカ１３）の音声出力を有と決定し（ステップＳ４２）、図２のフローチャートに示すステップＳ５へ処理を戻す。このとき制御部２０は、最も外側の位置に対応する左右対称の表示装置１のスピーカを音声出力有と決定する。
【００５７】
上述の位置情報の例であれば、制御部２０は選択されている表示装置１の位置情報が０列目、及び２列目に対応する場合に外側の位置に対応すると判断する。外側には、０段目２段目が含まれてもよい。また最も外側とは限らず、横方向に６台の表示装置１が並置されている場合には、１つ内側の表示装置１も外側と判断するようにしてもよい。
【００５８】
制御部２０は、ステップＳ４１にて最も外側の位置に対応しないと判断した場合（Ｓ４１：ＮＯ）、当該表示装置１のスピーカ（左スピーカ１２及び右スピーカ１３）の音声出力を無と決定し（ステップＳ４３）、図２のフローチャートに示すステップＳ５へ処理を戻す。
【００５９】
上述の位置情報の例であれば、制御部２０は選択されている表示装置１の位置情報が１列目に対応する場合に外側の位置に対応しないと判断する。
【００６０】
なお制御部２０は、表示装置１のみならずスピーカ自体の位置をも考慮して、最も外側の位置に対応するスピーカのみ音声出力を有と決定するようにしてもよい。上述の位置情報の例であれば、制御部２０は選択されている表示装置１の位置情報が０列目に対応する場合、左スピーカ１２のみ外側の位置に対応すると判断して音声出力を有と決定し、２列目に対応する場合、右スピーカ１３のみ外側の位置に対応すると判断して音声出力を有と決定してもよい。
【００６１】
制御部２０が図３のフローチャートに示した処理手順を実行することにより、マルチビジョンを構成する複数の表示装置１内で外側に位置する表示装置１のみから音声が出力される。上述の例であれば０列目及び２列目の表示装置１のみから音声が出力される。
【００６２】
図４は、実施の形態１の表示システムを構成する制御装置２の制御部２０による音声出力の有無の決定処理手順の他の一例を示すフローチャートである。なお、図３のフローチャートに示した処理手順と共通する手順については同一のステップ番号を付して詳細な説明を省略する。
【００６３】
制御部２０は、選択されている１つの表示装置１について、取得した位置情報に基づき、表示装置１の位置がマルチビジョンを構成する複数の表示装置１内で下段に対応するか否かを判断する（ステップＳ４４）。
【００６４】
制御部２０は、ステップＳ４４にて下段に対応すると判断した場合（Ｓ４４：ＹＥＳ）、当該表示装置１のスピーカ（左スピーカ１２及び右スピーカ１３）の音声出力を有と決定し（Ｓ４２）、図２のフローチャートに示すステップＳ５へ処理を戻す。
【００６５】
上述の位置情報の例であれば、制御部２０は選択されている表示装置１の位置情報が２段目に対応する場合に下段に対応すると判断する。
【００６６】
制御部２０は、ステップＳ４１にて下段に対応しないと判断した場合（Ｓ４４：ＮＯ）、当該表示装置１のスピーカ（左スピーカ１２及び右スピーカ１３）の音声出力を無と決定し（Ｓ４３）、図２のフローチャートに示すステップＳ５へ処理を戻す。
【００６７】
制御部２０が図４のフローチャートに示した処理手順を実行することにより、マルチビジョンを構成する複数の表示装置１内で下段に位置する表示装置１のみから音声が出力される。上述の例であれば２段目の表示装置１のみから音声が出力される。
【００６８】
図５は、実施の形態１の表示システムを構成する制御装置２の制御部２０による音声出力の有無の決定処理手順の他の一例を示すフローチャートである。なお、図３のフローチャートに示した処理手順と共通する手順については同一のステップ番号を付して詳細な説明を省略する。
【００６９】
制御部２０は、選択されている１つの表示装置１が備える各スピーカの内、１つのスピーカを選択する（ステップＳ４５）。制御部２０は、選択したスピーカが右スピーカ１３であるか否かを判断する（ステップＳ４６）。制御部２０は、右スピーカであると判断した場合（Ｓ４６：ＹＥＳ）、取得した位置情報に基づき、選択されている表示装置１の位置はマルチビジョンを構成する表示装置１群の中央よりも右側に対応するか否かを判断する（ステップＳ４７）。
【００７０】
制御部２０は、ステップＳ４７にて右側に対応すると判断した場合（Ｓ４７：ＹＥＳ）、選択したスピーカの音声出力を有と決定し（Ｓ４２）、処理を後述のステップＳ４９へ進める。制御部２０は、ステップＳ４７にて右側に対応しないと判断した場合（Ｓ４７：ＮＯ）、選択したスピーカの音声出力を無と決定し（Ｓ４３）、処理を後述のステップＳ４９へ進める。
【００７１】
制御部２０は、ステップＳ４６にて右スピーカでないと判断した場合（Ｓ４６：ＮＯ）、取得している位置情報に基づき、選択されている表示装置１の位置はマルチビジョンを構成する表示装置１群の中央よりも左側に対応するか否かを判断する（ステップＳ４８）。制御部２０は、ステップＳ４８にて左側に対応しないと判断した場合（Ｓ４８：ＮＯ）、選択したスピーカの音声出力を無と決定し（Ｓ４３）、処理を後述のステップＳ４９へ進める。
【００７２】
制御部２０は、ステップＳ４８にて左側に対応すると判断した場合（Ｓ４８：ＹＥＳ）、選択したスピーカの音声出力を有と決定し（Ｓ４２）、処理を後述のステップＳ４９へ進める。
【００７３】
制御部２０は、全てのスピーカを選択したか否かを判断する（ステップＳ４９）。制御部２０は、全てのスピーカを選択していないと判断した場合（Ｓ４９：ＮＯ）、ステップＳ４５へ処理を戻し、次のスピーカについて処理を行なう。制御部２０は、全てのスピーカを選択したと判断した場合（Ｓ４９：ＹＥＳ）、音声出力の有無の決定処理を終了し、図２のフローチャートに示したステップＳ５へ処理を戻す。
【００７４】
制御部２０が図５のフローチャートに示した処理手順を実行することにより、マルチビジョンを構成する表示装置１群に向かって右側に位置する表示装置１では、右スピーカ１３のみから音声が出力され、また、向かって左側に位置する表示装置１では、左スピーカ１２のみから音声が出力される。
【００７５】
なお制御部２０は、図２のフローチャートにおけるステップＳ４の処理を行なう場合には、図３から図５のフローチャートに示した処理手順の内のいずれかを行なうか、又は組み合わせてもよい。なお、ステップＳ４の処理の詳細は図３から図５のフローチャートに示した処理手順に限られない。
【００７６】
次に、図２のフローチャートに示した処理手順の内のステップＳ５における各スピーカの音声チャンネルの選択処理について例を挙げて詳細を説明する。
【００７７】
図６は、実施の形態１における制御装置２の制御部２０による音声チャンネルの選択処理手順の一例を示すフローチャートである。
【００７８】
制御部２０は、選択されている１つの表示装置１が備える各スピーカの内、１つのスピーカを選択する（ステップＳ５１）。制御部２０は、選択したスピーカが音声出力有に決定されているか否かを判断する（ステップＳ５２）。
【００７９】
制御部２０は、音声出力無に決定されていると判断した場合（Ｓ５２：ＮＯ）、処理を後述のステップＳ５９へ進める。
【００８０】
制御部２０は、音声出力有に決定されていると判断した場合（Ｓ５２：ＹＥＳ）、取得している位置情報に基づき、選択されている表示装置１の位置はマルチビジョンを構成する表示装置１群の中央よりも右側に対応するか否かを判断する（ステップＳ５３）。
【００８１】
制御部２０は、右側に対応すると判断した場合（Ｓ５３：ＹＥＳ）、選択されているスピーカが出力する音声チャンネルに右チャンネルを選択し（ステップＳ５４）、処理を後述のステップＳ５９へ進める。
【００８２】
制御部２０は、ステップＳ５３にて右側に対応しないと判断した場合（Ｓ５３：ＮＯ）、逆に左側に対応するか否かを判断する（ステップＳ５５）。
【００８３】
制御部２０は、左側に対応すると判断した場合（Ｓ５５：ＹＥＳ）、選択されているスピーカが出力する音声チャンネルに左チャンネルを選択し（ステップＳ５６）、処理を後述のステップＳ５９へ進める。
【００８４】
制御部２０は、ステップＳ５５にて左側に対応しないと判断した場合（Ｓ５５：ＮＯ）、選択されている表示装置１の位置は、マルチビジョンを構成する表示装置１群の中心線上に存在するはずである。このとき制御部２０は、ステップＳ５１で選択したスピーカは右スピーカ１３であるか否かを判断する（ステップＳ５７）。
【００８５】
制御部２０は、ステップＳ５７で右スピーカ１３であると判断した場合（Ｓ５７：ＹＥＳ）、選択したスピーカが出力する音声チャンネルに右チャンネルを選択し（ステップＳ５８）、処理を後述のステップＳ５９へ進める。このとき制御部２０は、選択した右スピーカ１３に対して右チャンネルを選択したので、左右対称の位置にある表示装置１の左スピーカ１２に対し、左チャンネルを選択する処理を実行するようにしてもよい。
【００８６】
制御部２０は、ステップＳ５７で左スピーカ１３であると判断した場合（Ｓ５７：ＮＯ）、選択したスピーカが出力する音声チャンネルに左チャンネルを選択し（Ｓ５６）、処理を後述のステップＳ５９へ進める。
【００８７】
制御部２０は、全てのスピーカを選択したか否かを判断する（ステップＳ５９）。制御部２０は、全てのスピーカを選択していないと判断した場合（Ｓ５９：ＮＯ）、ステップＳ５１へ処理を戻し、次のスピーカについて処理を行なう。制御部２０は、全てのスピーカを選択したと判断した場合（Ｓ５９：ＹＥＳ）、音声チャンネルの選択処理を終了し、図２のフローチャートに示したステップＳ６へ処理を戻す。
【００８８】
制御部２０が図６のフローチャートに示した処理手順を実行することにより、マルチビジョンを構成する表示装置１群に向かって右側に位置する表示装置１では、出力有と決定されたスピーカから右チャンネルの音声が出力され、また、向かって左側に位置する表示装置１では、出力有と決定されたスピーカから左チャンネルの音声が出力される。また、中心線上に位置する表示装置１では、出力有と決定された右スピーカ１３からは右チャンネルの音声が出力され、出力有と決定された左スピーカ１２からは左チャンネルの音声が出力される。このようにして、多チャンネルの音声の混合、又は音響効果の低下を防止し、多チャンネルの音声を効果的に出力することができる。また、音声出力無のスピーカがあることにより、表示システム全体として電力を抑えることも可能である。
【００８９】
以下、並置表示装置１群の並置のパターンと、音声が出力されると決定されたスピーカのパターン、及び出力される音声チャンネルのパターンについてイメージ図を参照して説明する。
【００９０】
図７から図１９は、並置表示装置１群の並置パターンと、音声が出力されるスピーカのパターン、及び選択された音声チャンネルのパターンについてのイメージ図である。各図では、各スピーカにおける出力の有無は無の場合に「無」と表記し、選択された音声チャンネルを丸で囲んで示している。
【００９１】
図７に示す例は、２台の表示装置１を横に並置した場合のパターンを示す。図５のフローチャートに示す処理手順で制御部２０が音声の出力有無を決定することにより、左側に位置する表示装置１の左スピーカ１２、及び右側に位置する表示装置１の右スピーカ１３のみが出力有となり、他のスピーカは出力無となっている。更に、図６のフローチャートに示す処理手順で制御部２０が音声チャンネルを選択することにより、左側の表示装置１の左スピーカ１２からは左チャンネルの音声、右側の表示装置１の右スピーカ１３からは右チャンネルの音声が出力される。なお、図７に示すように、音声出力の有無は左右対称に決定され、音声チャンネルも左右対称に選択される。
【００９２】
図８に示す例は、２台の表示装置１を横に並置した場合の他のパターンを示す。図３のフローチャートに示す処理手順で制御部２０が音声の出力有無を決定することにより、全てのスピーカが出力有となっている。更に、図６のフローチャートに示す処理手順で制御部２０が音声チャンネルを選択することにより、左側の表示装置１の左スピーカ１２からのみならず右スピーカ１３からも左チャンネルの音声が出力され、右側の表示装置１の右スピーカ１３のみならず左スピーカ１２からも右チャンネルの音声が出力される。
【００９３】
図９に示す例は、２台の表示装置１を横に並置した場合の他のパターンを示す。図９に示すように、左側の表示装置１の右スピーカ１３及び右側の表示装置１の左スピーカ１２のみ出力有となってもよい。この場合も、図６のフローチャートに示す処理手順で制御部２０が音声チャンネルを選択することにより、左側の表示装置１の右スピーカ１３から左チャンネルの音声が出力され、右側の表示装置１の左スピーカ１２から右チャンネルの音声が出力される。
【００９４】
図１０に示す例は、３台の表示装置１を横に並置した場合のパターンを示す。図３のフローチャートに示す処理手順、及び図５のフローチャートに示す処理手順で制御部２０が音声の出力有無を決定することにより、左側の表示装置１の左スピーカ１２、及び右側の表示装置の右スピーカ１３のみが出力有となっている。中央の表示装置１のスピーカはいずれも出力無となっている。更に、図６のフローチャートに示す処理手順で制御部２０が音声チャンネルを選択することにより、左側の表示装置１の左スピーカ１２からは左チャンネルの音声、右側の表示装置１の右スピーカ１３からは右チャンネルの音声が出力される。これにより、左右の音声出力の差異が鮮明となり、ステレオ音声を効果的に出力することができる。
【００９５】
図１１に示す例は、３台の表示装置１を横に並置した場合の他のパターンを示す。図１１に示すように、中央の表示装置１も含み、全ての表示装置１の全てのスピーカで出力有となってもよい。縦方向に１段のみの構成では、図４のフローチャートに示す処理手順を実行することにより、全ての表示装置１のスピーカが出力有に決定され得る。このとき、図６のフローチャートに示す処理手順で制御部２０が音声チャンネルを選択することにより、左側の表示装置１では、左スピーカ１２からのみならず右スピーカ１３からも左チャンネルの音声が出力され、右側の表示装置１でも右スピーカ１３のみならず左スピーカ１２からも右チャンネルの音声が出力される。そして、中央の表示装置１では、左スピーカ１２からは左チャンネルの音声が出力され、右スピーカ１３からは右チャンネルの音声が出力される。
【００９６】
図１２に示す例は、３台の表示装置１を横に並置した場合の他のパターンを示す。図１２に示すように、最も外側の表示装置１が備えるスピーカの内、内側に位置するスピーカのみ出力有となり、中央の表示装置１が備えるスピーカは全て出力無と決定されるようにしてもよい。このときも、図６のフローチャートに示す処理手順で制御部２０が音声チャンネルを選択することにより、左側の表示装置１では、出力有に決定された右スピーカ１３から左チャンネルの音声が出力され、右側の表示装置１では、出力有と決定された左スピーカ１２から右チャンネルの音声が出力される。
【００９７】
図１３に示す例は、３台の表示装置１を横に並置した場合の他のパターンを示す。図１３に示すように、最も外側の表示装置１が備えるスピーカについて、図５のフローチャートに示す処理手順が実行されることで左側の表示装置１では左スピーカ１２のみ、右側の表示装置１では右スピーカ１３のみ出力有となる。図１３に示すように、中央の表示装置１が備えるスピーカは全て出力有と決定されるようにしてもよい。このときも、図６のフローチャートに示す処理手順で制御部２０が音声チャンネルを選択することにより、左側の表示装置１及び中央の表示装置１では、出力有に決定された左スピーカ１２から左チャンネルの音声が出力され、右側の表示装置１及び中央の表示装置１では、出力有と決定された右スピーカ１３から右チャンネルの音声が出力される。
【００９８】
図１４に示す例では、４台の表示装置１を横に２列、縦に２段並置した場合のパターンを示す。図５のフローチャートに示す処理手順で制御部２０が音声の出力有無を決定することにより、左側に位置する表示装置１の左スピーカ１２、及び右側に位置する表示装置１の右スピーカ１３のみが出力有となり、他のスピーカは出力無となっている。更に、図６のフローチャートに示す処理手順で制御部２０が音声チャンネルを選択することにより、左側の表示装置１の左スピーカ１２からは左チャンネルの音声、右側の表示装置１の右スピーカ１３からは右チャンネルの音声が出力される。これにより、左右の音声出力の差異が鮮明となり、ステレオ音声を効果的に出力することができる。
【００９９】
図１５に示す例では、４台の表示装置１を横に２列、縦に２段並置した場合の他のパターンを示す。図４のフローチャートに示す処理手順、及び図５のフローチャートに示す処理手順で制御部２０が音声の出力有無を決定することにより、下段の左側の表示装置１の左スピーカ１２、及び下段の右側の表示装置の右スピーカ１３のみが出力有となっている。更に、図６のフローチャートに示す処理手順で制御部２０が音声チャンネルを選択することにより、下段左側の表示装置１の左スピーカ１２からは左チャンネルの音声、右側の表示装置１の右スピーカ１３からは右チャンネルの音声が出力される。これにより、左右の音声出力の差異が鮮明となり、ステレオ音声を効果的に出力することができる。
【０１００】
図１６に示す例では、４台の表示装置１を横に２列、縦に２段並置した場合の他のパターンを示す。図１６に示すように、出力有に決定されるスピーカが１段ずつ左右入れ替わるようにしてもよい。出力有に決定されるスピーカが左右対称となり、チャンネルも左右対称となるように選択されている。なおこのときも、図６のフローチャートに示す処理手順で制御部２０が音声チャンネルを選択することにより、左側の表示装置１のスピーカからは左チャンネルの音声、右側の表示装置１のスピーカからは右チャンネルの音声が出力される。
【０１０１】
図１７に示す例では、６台の表示装置１を横に２列、縦に３段並置した場合のパターンを示す。図５のフローチャートに示す処理手順で制御部２０が音声の出力有無を決定することにより、左側に位置する表示装置１の左スピーカ１２、及び右側に位置する表示装置１の右スピーカ１３のみが出力有となり、他のスピーカは出力無となっている。更に、図６のフローチャートに示す処理手順で制御部２０が音声チャンネルを選択することにより、左側の表示装置１の左スピーカ１２からは左チャンネルの音声、右側の表示装置１の右スピーカ１３からは右チャンネルの音声が出力される。これにより、左右の音声出力の差異が鮮明となり、ステレオ音声を効果的に出力することができる。
【０１０２】
なお図１７に示す例では、制御部２０が１段おきに出力有と決定する処理を行なうことにより、２段目の２台の表示装置１のスピーカではいずれも出力無と決定されるようにするようにしてもよい。これにより、システム全体として音声出力に要する電力消費を抑えることが可能となる。
【０１０３】
図１８に示す例では、６台の表示装置１を横に３列、縦に２段並置した場合のパターンを示す。図１３に示した３台の表示装置１の例と同様に、最も外側の表示装置１が備えるスピーカについて、図５のフローチャートに示す処理手順が実行されることで左側の表示装置１では左スピーカ１２のみ、右側の表示装置１では右スピーカ１３のみ出力有となる。そして中央の表示装置１が備えるスピーカは全て出力有と決定されている。更に、図６のフローチャートに示す処理手順で制御部２０が音声チャンネルを選択することにより、左側の表示装置１及び中央の表示装置１では、出力有に決定された左スピーカ１２から左チャンネルの音声が出力され、右側の表示装置１及び中央の表示装置１では、出力有と決定された右スピーカ１３から右チャンネルの音声が出力される。
【０１０４】
なお図１８に示すように、６台の表示装置１を横に３列、縦に２段並置した場合には、図１０の例に示したように、左側の上下段の表示装置１の左スピーカ１２、及び右側の上下段の表示装置１の右スピーカ１３のみ音声出力有と決定されてもよいことは勿論である。
【０１０５】
図１９に示す例では、６台の表示装置１を横に３列、縦に２段並置した場合の他のパターンを示す。図１９に示すように、左側の上下段の表示装置１の左スピーカ１２、右側の上下段の表示装置１の右スピーカ１３、及び中央下段の表示装置１のスピーカのみ音声出力有と決定されてもよい。このとき、図６のフローチャートに示す処理手順で制御部２０が音声チャンネルを選択することにより、左側の表示装置１の左スピーカ１２からは左チャンネルの音声、右側の表示装置１の右スピーカ１３からは右チャンネルの音声が出力される。また制御部２０は、図１９に示すように、選択されている表示装置１の位置がマルチビジョンを構成する表示装置１群の中央下段の位置に対応する場合に、重低音のチャンネルを当該スピーカに選択するようにしてもよい。これにより、２．１ｃｈサラウンド音声を効果的に出力することができる。
【０１０６】
（実施の形態２）
実施の形態１では、制御部２０は、図３から図６のフローチャートの例に示されたような処理手順のいずれか１つ又は組み合わせにより、つまりプログラムの設計通り、音声を出力するスピーカを決定し、音声を出力するスピーカのチャンネルが選択する構成とした。これに対し、実施の形態２では、ユーザが音声を出力するスピーカを選択することができる構成とする。
【０１０７】
なお、実施の形態２における表示システムの構成は、実施の形態１における表示システムと同様であり、以下に説明する制御装置２の制御部２０による処理内容が更に行なわれるのみである。したがって、以下の説明では、実施の形態１と共通する構成については同一の符号を付して詳細な説明を省略する。
【０１０８】
図２０は、実施の形態２の表示システムを構成する制御装置２の制御部２０による音声出力制御の処理手順の一例を示すフローチャートである。
【０１０９】
制御部２０は、接続されている表示装置１の配列情報を取得する（ステップＳ２１）。配列情報の詳細は、実施の形態１と同様である。
【０１１０】
制御部２０は、ユーザからの選択を受け付けるための設定画面を接続されているいずれかの表示装置１へ出力する（ステップＳ２２）。これにより、マルチビジョンを構成する表示装置１群の内のいずれか又は全体に設定画面が表示され、ユーザは入力部２３に接続されているユーザインタフェースを用いて種々の選択が可能である。
【０１１１】
制御部２０は、設定画面にて表示システム全体での音声出力の有無を受け付け、音声出力有が選択されたか否かを判断する（ステップＳ２３）。制御部２０は、ユーザからの入力により、音声出力無が選択されたと判断した場合（Ｓ２３：ＮＯ）、全スピーカの出力を無として（ステップＳ２４）、処理を終了する。
【０１１２】
制御部２０は、音声出力有が選択されたと判断した場合（Ｓ２３：ＹＥＳ）、設定画面により、スピーカの選択方法を受け付ける（ステップＳ２５）。
【０１１３】
制御部２０は、カスタムに選択することが選択されたか否かを判断し（ステップＳ２６）、カスタムに選択することが選択されたと判断した場合（Ｓ２６：ＹＥＳ）、カスタム画面を出力し、該カスタム画面で各スピーカの音声出力の有無、及び出力する音声チャンネルの選択を受け付け（ステップＳ２７）、処理を終了する。
【０１１４】
制御部２０は、カスタムに選択することが選択されていないと判断した場合（Ｓ２６：ＮＯ）、一部自動的に設定を行なう。そこで制御部２０は、設定画面にて、マルチビジョンを構成する表示装置１群の外側１列ずつのスピーカを使用することが選択されたか否かを判断する（ステップＳ２８）。
【０１１５】
制御部２０は、外側１列ずつのスピーカを使用することが選択されていないと判断した場合（Ｓ２８：ＮＯ）、マルチビジョンを構成する表示装置１群の１台ずつの使用が選択されると判断し、設定画面への入力により、音声出力有りの表示装置１の選択を受け付ける（ステップＳ２９）。このとき設定画面では、半自動で選択できるように、各段で使用の選択を受け付けるようにしてある。例えば、上段／中段／下段のいずれの表示装置１を使用するかを選択できるように画面を出力し、いずれかの選択を受け付ける。
【０１１６】
次に制御部２０は、スピーカを使用する（音声出力有）と選択された表示装置１について、左スピーカ１２及び右スピーカ１３の片側を使用するか、両側を使用するかの選択を受け付ける（ステップＳ３０）。制御部２０は、ステップＳ２８にて外側１列ずつのスピーカを使用することが選択されたと判断した場合も（Ｓ２８：ＹＥＳ）、左スピーカ１２及び右スピーカ１３の片側を使用するか、両側を使用するかの選択を受け付ける（Ｓ３０）。
【０１１７】
制御部２０は、ステップ３０で受け付けた選択に基づき、スピーカを使用する（音声出力有）と選択された表示装置１が備えるスピーカ夫々の音声出力の有無を決定する（ステップＳ３１）。ステップＳ３１は詳細には、両側を使用すると選択されている場合は、使用される表示装置１のスピーカ全てを出力有りと決定するが、片側を使用すると選択されている場合、位置情報が右側に対応する表示装置１の右スピーカのみ出力有と決定し、位置情報が左側に対応する表示装置１の左スピーカのみ出力有と決定する。
【０１１８】
制御部２０は、各スピーカの音声出力有無の決定後、各表示装置１について特定された位置に基づき、使用すると選択された表示装置１が備える各スピーカ（左スピーカ１２及び右スピーカ１３）のチャンネルを選択し（ステップＳ３２）、処理を終了する。ステップＳ３２の詳細は、図６のフローチャートに示す処理手順に対応する。
【０１１９】
図２１から図２３は、実施の形態２における制御部２０により出力されるカスタム画面の例を示す説明図である。
【０１２０】
図２１では、制御部２０が、取得したマルチビジョンを構成する表示装置１群の位置情報に基づき特定した配列を示している。図２１の例では、３段３列の９台の表示装置１を使用する場合の配列が示されている。各表示装置１は、１から９の番号で識別されている。図２１の例では、左上の表示装置１（例えば位置情報（０，０））の識別情報は「１」、右下の表示装置１（例えば位置情報（２，２））の識別情報は「９」である。
【０１２１】
ユーザは、図２１に示すカスタム画面が表示装置１に表示された場合、マウス又はキーボードの方向キー等により、スピーカを使用する表示装置１を選択することができる。
【０１２２】
図２２では、ユーザが識別情報「４」の表示装置１を選択した場合に表示される画面の例を示している。制御部２０は、識別情報「４」の表示装置１が選択された場合、３段３列のマルチビジョンを構成する表示装置１群の中心を基準として左右対称の位置にある識別情報「６」の表示装置１でもスピーカを使用すると決定する。このとき制御部２０は、識別情報「４」の表示装置の位置情報（１，０）に基づき、中央（１，１）に対し左右対称の位置の（１，２）を特定し、当該位置情報を持つ識別情報「６」の表示装置１を左右対称の位置にある表示装置１として特定する。
【０１２３】
また図２２のカスタム画面では、左（Ｌ）チャンネル及び右（Ｒ）チャンネル夫々の音声チャンネルを出力する表示装置１の識別番号が表示されている。カスタム画面では、各表示装置１に対し、片側のスピーカを使用するか、両方のスピーカを使用するかを右下に表示されているボックスで選択することが可能である。図２２のカスタム画面の例では、片側のスピーカを使用することがデフォルトで選択されており、現在選択されている識別情報「４」の表示装置１及びそれに対して左右対称に選択された識別情報「６」の表示装置１では、片側のスピーカを使用するように選択されている。したがって、左側の位置に対応する識別情報「４」の表示装置１で左チャンネル、右側の位置に対応する識別情報「６」の表示装置１では右チャンネルが選択されている。
【０１２４】
図２３では、ユーザが識別情報「１」「４」「７」の表示装置１を選択した場合に表示される画面の例を示している。識別情報「１」「４」「７」の表示装置１が選択された場合、制御部２０は、各々と左右対称の位置に対応する識別情報「３」「６」「９」の表示装置１を、スピーカを使用する（音声出力有の）表示装置１と決定する。
【０１２５】
図２３のカスタム画面で表示されている左（Ｌ）チャンネル及び右（Ｒ）チャンネル夫々の音声チャンネルを出力する表示装置１の識別番号では、「４」及び「６」に「＋（プラス）」の記号が付されている。「＋」の記号は、両側のスピーカを使用すると選択された場合に表示される。このときも左右対称の位置にある表示装置１間では、使用するスピーカも左右対称となるように決定されている。
【０１２６】
このように、ユーザは自由に選択が可能であり、多様な構成の表示システムに対し、容易に設定が可能となる。なお、ユーザによってスピーカを使用する表示装置１の選択が自由にされるとしても、外側の表示装置を使用するか否か、また上段／中段／下段かなどを選択させることにより、音声出力の左右対称性は保持される。またチャンネルの選択については、制御装置２によって自動的に適切に選択され、左右の音声のバランスを鮮明とすることが可能である。
【０１２７】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１２８】
１  表示装置
１１  パネル
１２  左スピーカ
１３  右スピーカ
２  制御装置
２０  制御部
２１  記憶部
２Ｐ  制御プログラム
【図１】
2011250113.tif 000003
【図２】
2011250113.tif 000004
【図３】
2011250113.tif 000005
【図４】
2011250113.tif 000006
【図５】
2011250113.tif 000007
【図６】
2011250113.tif 000008
【図７】
2011250113.tif 000009
【図８】
2011250113.tif 000010
【図９】
2011250113.tif 000011
【図１０】
2011250113.tif 000012
【図１１】
2011250113.tif 000013
【図１２】
2011250113.tif 000014
【図１３】
2011250113.tif 000015
【図１４】
2011250113.tif 000016
【図１５】
2011250113.tif 000017
【図１６】
2011250113.tif 000018
【図１７】
2011250113.tif 000019
【図１８】
2011250113.tif 000020
【図１９】
2011250113.tif 000021
【図２０】
2011250113.tif 000022
【図２１】
2011250113.tif 000023
【図２２】
2011250113.tif 000024
【図２３】
2011250113.tif 000025